(57)【要約】【課題】第１に、ポリタンクの持ち上げ，降ろし，移動等の運搬作業が、大幅に容易化し、第２に、しかもこれが簡単容易に実現される、ポリタンク運搬具を提案する。【解決手段】ポリタンク運搬具３は、ポリタンク１の持ち上げ，降ろし，移動用に装着使用され、取手体４とベルト体５を備えている。取手体４は、装着時にポリタンク胴部６を囲むことが可能な横環状をなし、取手体４の一方の対向部７，８が、ポリタンク胴部６を挟んで弾接する相互間隔よりなり、もってポリタンク１からのずり落ちが防止される。取手体４の他方の対向部９，１０は、装着時にポリタンク胴部６との間にそれぞれスペースＣが存する相互間隔よりなり、もってそれぞれを手で握ることが可能となっている。ベルト体５は、両端部１１が、一方の対向部７，８にそれぞれ取付けられ、垂下部１２が、装着時にポリタンク１を底２から保持可能な長さよりなる。【選択図】図１
2018039518.tif 000002
【特許請求の範囲】
【請求項１】
ポリタンクの持ち上げ，降ろし，移動用に装着使用される運搬具であって、取手体とベルト体とを備えており、
該取手体は、装着時にポリタンク胴部を囲むことが可能な横環状をなし、
該取手体の一方の対向部は、装着時にポリタンク胴部を間に挟んで弾接する相互間隔よりなり、ポリタンクからのずり落ちが防止され、
該取手体の他方の対向部は、装着時にポリタンク胴部との間にそれぞれスペースが存する相互間隔よりなり、もってそれぞれを手で握ることが可能となっており、
該ベルト体は、両端部が、該取手体のいずれかの該対向部にそれぞれ取付けられると共に、垂下部が、装着時にポリタンクを底から保持可能な長さよりなること、を特徴とするポリタンク運搬具。
【請求項２】
請求項１において、該取手体は、該他方の対向部に、ポリタンクとの間の仕切材が設けられていること、を特徴とするポリタンク運搬具。
【請求項３】
請求項１において、該ベルト体は、長さが調整可能となっており、長さ調整により装着時の該取手体の上下高さ位置が、変更可能となっていること、を特徴とするポリタンク運搬具。
【発明の詳細な説明】
【技術分野】
【０００１】
本発明は、ポリタンク運搬具に関する。すなわち、ポリタンクを持ち上げ，降ろし，移動するために装着使用される、ポリタンク運搬具に関するものである。
【背景技術】
【０００２】
《従来技術》
ポリタンク１は、１８Ｌ〜２０Ｌ程度の容積よりなり、灯油，水，その他の液体を入れる容器として、広く使用されている。
そしてポリタンク１には、図３に示したように最上部に、片手で握れる取手Ｈが設けられている。すなわちポリタンク１は、最上部の取手Ｈを片手だけで握って支点とし、もって、その持ち上げ，降ろし，移動等を行うようになっている。
このようなポリタンク１の取扱用の装着使用具としては、僅かに下記の特許文献１が開示されているに過ぎない。
【先行技術文献】
【特許文献】
【０００３】
【特許文献１】特開２０００−１０９０９０号公報
【発明の概要】
【発明が解決しようとする課題】
【０００４】
灯油，水，その他の液体を収納したポリタンク１は、かなりの重量となり、これを持ち上げたり，降ろしたり，移動させたりする運搬作業が容易でない、という問題が指摘されていた。
例えば、地上（低所）に置いてあるポリタンク１を、車輌（高所）に積み込む際、その取手２を使って持ち上げようとすると、次のようになる。
作業する人Ａは、図２の（３）図に示したように、まず、一方の手Ｂで取手Ｈをつかみ、唯一の支点としてポリタンク１を持ち上げる。それから、ポリタンク１を車輌にぶつけないようにしつつ、更により高く持ち上げる必要があるため、肘も相当程度曲げねばならず、非力な人Ａには極めて困難な作業となっていた。
他方の手Ｂも支点として補助しようとしても、図２の（４）図に示したように、ポリタンク１の底２に、他方の手Ｂをあてがうしかなかった。これでは、取手Ｈと底２の高さの差から、作業する人Ａは、両手Ｂつまり両支点を均等な負担とすることができず、作業の困難性，非容易性，不便性に変わりはなかった。
このような事情は、ポリタンク１を車輌（高所）から地上（低所）に降ろす際や、ポリタンク１を水平等移動する際等も、同様であった。
【０００５】
《本発明について》
本発明のポリタンク運搬具は、このような実情に鑑み、上記従来技術の課題を解決すべくなされたものである。
そして本発明は、第１に、ポリタンクの持ち上げ，降ろし，移動等の運搬作業が大幅に容易化し、第２に、しかもこれが簡単容易に実現される、ポリタンク運搬具を提案することを目的とする。
【課題を解決するための手段】
【０００６】
《各請求項について》
このような課題を解決する本発明の技術的手段は、特許請求の範囲に記載したように、次のとおりである。
請求項１については、次のとおり。
請求項１のポリタンク運搬具は、ポリタンクの持ち上げ，降ろし，移動用に、装着使用される。そして、取手体とベルト体とを備えている。該取手体は、装着時にポリタンク胴部を囲むことが可能な、横環状をなす。
該取手体の一方の対向部は、装着時にポリタンク胴部を間に挟んで弾接する相互間隔よりなり、ポリタンクからのずり落ちが防止される。
該取手体の他方の対向部は、装着時にポリタンク胴部との間にそれぞれスペースが存する相互間隔よりなり、もってそれぞれを手で握ることが可能となっている。
該ベルト体は、両端部が、該取手体のいずれかの該対向部に、それぞれ取付けられると共に、垂下部が、装着時にポリタンクを底から保持可能な長さよりなること、を特徴とする。
請求項２については、次のとおり。
請求項２のポリタンク運搬具では、請求項１において、該取手体は、該他方の対向部に、ポリタンクとの間の仕切材が設けられていること、を特徴とする。
請求項３については、次のとおり。
請求項３のポリタンク運搬具では、請求項１において、該ベルト体は、長さが調整可能となっており、長さ調整により装着時の該取手体の上下高さ位置が、変更可能となっていること、を特徴とする。
【０００７】
《作用等について》
本発明は、このような手段よりなるので、次のようになる。
（１）このポリタンク運搬具は、ポリタンクの持ち上げ，降ろし，移動等の作業に際し、ポリタンクに装着使用される。
（２）すなわち、その取手体間にポリタンクが上から収納され、ベルト体上にポリタンクの底が載せられる。
（３）なお取手体は、その一方の対向部間でポリタンク胴部を挟んで弾接するので、意図せずずり落ちるようなことはない。
（４）そして取手体は、その他方の対向部について、ポリタンク胴部との間でそれぞれスペースが形成される。
（５）そこで作業をする人は、この両スペースを共に利用し、取手体の他方の対向部をそれぞれ手で握ることにより、ベルト体を介しポリタンクを持つことができる。
（６）このように、取手体の他方の対向部をそれぞれ一方の手と他方の手で持つことにより、ポリタンクの持ち上げ，降ろし，移動等の運搬作業をすることができる。
（７）作業をする人は、このポリタンク運搬具を使用することにより、両手をそれぞれ支点とし、両支点を均等な負担のもとで、作業を行うことができる。
（８）灯油，水，その他の液体が収納され重量が重いポリタンクではあるが、このポリタンク運搬具を装着使用することにより、作業が大幅に容易化，負担軽減化されるようになる。
（９）しかも、このポリタンク運搬具は、取手体とベルト体とからなり、構成が簡単容易である。
（１０）さてそこで、本発明のポリタンク運搬具は、次の効果を発揮する。
【発明の効果】
【０００８】
《第１の効果》
第１に、ポリタンクの持ち上げ，降ろし，移動等の運搬作業が、容易化する。
本発明のポリタンク運搬具は、ポリタンク運搬作業に際し装着使用される。そして、取手体の他方の対向部を、それぞれ手で握ることにより、ベルト体を介しポリタンクを持つことができ、もってポリタンクを自在に持ち上げ，降ろし，移動等することができる。
作業する人は、両手でポリタンクを保持することができ、両手をそれぞれ支点とし両支点を均等な負担のもとで、持ち上げ，降ろし，移動等の運搬作業をすることができるようになる。
ベルト体の長さを調整する事により、肘を曲げる事なく持ち上げ高さを変える事ができる。
前述したこの種従来例のように、ポリタンクの取手等に頼って運搬作業を行っていたのに比べ、作業の容易性が大きく向上し、作業負担が大幅に軽減され、困難性や不便性が解消される。
【０００９】
《第２の効果》
第２に、しかもこれは簡単容易に実現される。
本発明のポリタンク運搬具は、取手体とベルト体とを備えた簡単な構成よりなり、もって上述したところが容易に実現される。
このように、この種従来技術に存した課題がすべて解決される等、本発明の発揮する効果は、顕著にして大なるものがある。
【図面の簡単な説明】
【００１０】
【図１】本発明に係るポリタンク運搬具について、発明を実施するための形態の説明に供し、斜視図である。そして（１）図は、その一例を示し、（２）図は、他の例を示す。（３）図は、その一例をポリタンクに装着した場合を示す。
【図２】（１）図，（２）図は、それぞれ本発明の使用例の概略説明図である。（３図），（４）図は、従来例の使用例の概略説明図である。
【図３】ポリタンクの斜視図である。
【発明を実施するための形態】
【００１１】
以下、本発明を実施するための形態について、図面を参照して詳細に説明する。
《本発明の概要》
まず、本発明の概要について説明する。
本発明のポリタンク運搬具３は、ポリタンク１の持ち上げ，降ろし，移動に際し、ポリタンク１に装着使用され、取手体４とベルト体５とを備えている。
取手体４は、装着時にポリタンク胴部６を囲むことが可能な横環状をなしている。
取手体４の一方の対向部７，８は、ポリタンク胴部６を間に挟んで弾接する相互間隔よりなり、ポリタンク１からのずり落ちが防止される。
取手体４の他方の対向部９，１０は、装着時にポリタンク胴部６との間に、それぞれスペースＣが存する相互間隔よりなり、もってそれぞれを手Ｂで握ることが可能となっている。
ベルト体５は、両端部１１が、取手体４のいずれかの対向部７，８（又は９，１０）にそれぞれ取付けられると共に、垂下部１２が、装着時にポリタンク１を底２から保持可能な長さよりなる。
本発明の概要については、以上のとおり。以下、このような本発明について、更に詳述する。
【００１２】
《ポリタンク運搬具３》
ポリタンク運搬具３は、灯油，水，その他の液体を入れたポリタンク１の持ち上げ，降ろし，移動等の運搬時に、ポリタンク１に装着使用される。そしてポリタンク１は、多くの場合はポリエチレン製、その他の樹脂製よりなり、１８Ｌ〜２０Ｌ程度の容積よりなる。
そしてポリタンク運搬具３は、取手体４とベルト体５とを備えている。
【００１３】
《取手体４について》
まず、このポリタンク運搬具３の取手体４について説明する。
取手体４は、装着時にポリタンク胴部６外周を、代表的には中程の高さ位置で囲むことが可能な、横環枠状をなしている。
例えば、略矩形，略長円，略楕円，その他の平面形状をなし、その断面形状は、矩形，丸パイプ，角パイプ，Ｈ形，その他の形状や、それらの組み合わせ形状よりなる。取手体４の材料としては、合成樹脂，繊維強化樹脂，木材，竹材，金属，それらの組み合わせが用いられる。
そして取手体４は、一方の対向部７，８と、他方の対向部９，１０と、からなる。
【００１４】
取手体４の一方の対向部７，８は、装着時にポリタンク胴部６を間に挟んで弾接する、相互間隔よりなる。
まず、この一方の対向部７，８は、図示例では、（ポリタンク１の）正面と背面側の対向部として設定されているが、このような図示代表例によらず、（ポリタンク１の）両側面側の対向部とすることも可能である。
そして、この一方の対向部７，８間の対向（前後）間隔寸法は、ポリタンク胴部６の（前後）径寸法より、僅かに小さく設定されている。又、前述したようにポリタンク１は、ポリエチレン等の樹脂製よりなるので、若干の弾性を備えている。更に、取手体４の一方の対向部７，８も、若干の弾性を備えている。
これらにより装着使用時において、一方の対向部７，８間に、ポリタンク胴部６がこれを少し拡開するように嵌め込まれると、一方の対向部７，８とポリタンク胴部６とは、相互に撓んで弾接し、意図しないずり落ちが防止される。
すなわち、両者がきっちりと弾接することにより、装着時にポリタンク１から取手体４が意図することなくずり落ちることはない。一方の対向部７，８、他方の対向部９，１０、取手体４、ベルト体５、そしてポリタンク運搬具３全体が、ポリタンク胴部６に保持される。
【００１５】
これに対し、取手体４の他方の対向部９，１０は、装着時にポリタンク胴部６との間に、それぞれスペースＣが存する相互間隔よりなる。
まず、この他方の対向部９，１０は、図示例では、両側面の対向部として設定されているが、このような代表例によらず、正面と背面の対向部とすることも可能である。
そして、この他方の対向部９，１０間の対向（左右）間隔寸法は、ポリタンク胴部６の（左右）径寸法より、遥かに大きく設定されている。
もって、この他方の対向部９，１０は、装着時にポリタンク胴部６との間に、それぞれスペースＣが形成される。そこで作業する人Ａは、この他方の対向部９，１０を、手Ｂで握って持つことが可能となっている。
なおその際、握った手Ｂの指がポリタンク胴部６に当たらないように、図１の（１）図や（３）図の例では、他方の対向部９，１０について、それぞれの両端間に仕切材１３が設けられている。勿論、図１の（２）図に示したように、仕切材１３を設けない例も可能である。
取手体４については、以上のとおり。
【００１６】
《ベルト体５について》
次に、ポリタンク運搬具３のベルト体５について、説明する。
ベルト体５は、代表的には化学繊維又は天然繊維製よりなり、両端部１１と垂下部１２とからなっている。なお長さ調整が不要な場合は、合成樹脂や金属製も可能である。
両端部１１は、図示代表例では一方の対向部７，８に、それぞれ取付けられているが、これによらず、他方の対向部９，１０に取付ける例も可能である。
垂下部１２は、装着時にポリタンク１を、その底２に沿って湾曲保持可能な長さ設定よりなる。なお、図１の（１）図，（２）図に示したベルト体５は、バックル１４付よりなり、もって長さが調整可能となっている。そして長さ調整により、取手体４の上下高さ位置が変更可能となっている。
すなわち、ベルト体５の垂下部１２の長さにより、装着時の取手体４の上下高さ位置が設定される関係にあり、長さ調整により高さ位置が変更される。
ベルト体５については、以上のとおり。
【００１７】
《作用等》
本発明のポリタンク運搬具３は、以上説明したように構成されている。そこで、以下のようになる。
（１）このポリタンク運搬具３は、ポリタンク１の持ち上げ，降ろし，移動等の運搬作業に際し、ポリタンク１に装着使用される。
【００１８】
（２）すなわちポリタンク運搬具３は、取手体４間に、ポリタンク１が上から収納されて、ベルト体５上に、ポリタンク１の底２を載せた後、取手体４を引き上げる（図１の（３）図を参照）。
【００１９】
（３）このようにポリタンク１に装着されたポリタンク運搬具３において、その取手体４は、一方の対向部７，８間で、ポリタンク胴部６の中程の高さ位置を挟んで弾接する。もって、取手体４やベルト体５つまりポリタンク運搬具３が、意図しないでずり落ちてしまうようなことはない。
【００２０】
（４）これと共に、装着されたポリタンク運搬具３の取手体４は、その他方の対向部９，１０について、ポリタンク胴部６との間で、それぞれスペースＣが形成される（図１の（３）図を参照）。
【００２１】
（５）そこで作業をする人Ａは、このような両スペースＣを共に利用し、取手体４の他方の対向部９，１０を、それぞれ手Ｂで握ることにより、ベルト体５を介しポリタンク１を持ち上げることができる（図２の（１）図，（２）図を参照）。
【００２２】
（６）もって後は、ポリタンク１を自在に更に高く持ち上げたり，降ろしたり，水平移動等することができる。作業をする人Ａは、取手体４の他方の対向部９，１０を、それぞれ一方の手Ｂと他方の手Ｂで握って持つことにより、ポリタンク１を自在に運搬することができる。
【００２３】
（７）このように作業をする人Ａは、このポリタンク運搬具３を使用することにより、両手でポリタンク１を保持することができる。両手をそれぞれ支点とし、両支点を均等な負担としつつ、作業を行うことができる。
【００２４】
（８）ポリタンク１には、灯油，水，その他の液体が収納されており、かなりの重量となるが、このポリタンク運搬具３を装着使用すると、上述したように作業が大幅に容易化され，負担が軽減される。
【００２５】
（９）しかも、このポリタンク運搬具３は、取手体４とベルト体５とから構成されており、簡単容易な構成により、これらが達成される。
作用等については、以上のとおり。
【符号の説明】
【００２６】
１    ポリタンク
２    底
３    ポリタンク運搬具
４    取手体
５    ベルト体
６    ポリタンク胴部
７    一方の対向部
８    一方の対向部
９    他方の対向部
１０    他方の対向部
１１    両端部
１２    垂下部
１３    仕切材
１４    バックル
Ａ    人
Ｂ    手
Ｃ    スペース
Ｈ    取手
【図１】
2018039518.tif 000003
【図２】
2018039518.tif 000004
【図３】
2018039518.tif 000005